(57)【特許請求の範囲】
【請求項１】
外部から入力される静止画像信号を同一のサンプリング周波数でサンプリングすることにより静止画像データを形成するサンプリング手段と、
上記静止画像データの副走査方向の画素数を直線内挿補間処理によつてＫ倍する演算手段と、
上記画素数がＫ倍された静止画像データを記録データとして記録媒体に記録する記録手段と
を具えることを特徴とする記録装置。
【請求項２】
上記静止画像データの奇数フイールドデータ及び偶数フイールドデータをそれぞれ格納する第１及び第２のフイールドメモリを具え、
上記演算手段は、
上記第１及び第２のフイールドメモリに格納された上記静止画像データの副走査方向に互いに隣合う奇数フイールド画素データ及び偶数フイールド画素データを用いて直線内挿補間演算を行うことにより、上記静止画像データの画素数をＫ倍する
ことを特徴とする請求項１に記載の記録装置。
【請求項３】
入力静止画像信号を所定のサンプリング周波数でサンプリングすることにより静止画像データを形成するサンプリング手段と、
上記静止画像データの奇数フイールドデータ及び偶数フイールドデータをそれぞれ格納する第１及び第２のフイールドメモリと、
上記第１及び第２のフイールドメモリに格納された上記静止画像データの副走査方向に互いに隣合う奇数フイールド画素データ及び偶数フイールド画素データを用いて直線内挿補間演算を行うことにより、上記静止画像データを上記静止画像データに対して副走査方向の画素数がＫ倍でなる記録データに変換する演算手段と、
上記演算手段により得られた上記記録データを記録媒体に記録する記録する記録手段と
を具えることを特徴とする記録装置。
【請求項４】
上記Ｋの値を、上記サンプリング手段のサンプリング周波数に比例し、かつ上記演算手段によつて得られる上記記録データの画素アスペクト比が１：１となるように選定する
ことを特徴とする請求項３に記載の記録装置。
【請求項５】
上記サンプリング手段のサンプリング周波数を12.29875〔MHz 〕とし、上記Ｋの値を、上記入力静止画像信号がＮＴＳＣ方式の信号の場合にはほぼ「１」とし、ＰＡＬ方式の信号の場合にはほぼ「５／６」とする
ことを特徴とする請求項３に記載の記録装置。
【請求項６】
入力静止画像信号の副走査方向の画素数を直線内挿補間処理によつてＫ倍することにより各画素が正方格子状に配列され、かつ所定の画像アスペクト比の記録データを形成して記録媒体に記録すると共に、当該記録媒体から再生した再生データの副走査方向の画素数を直線内挿補間処理によつてＬ倍して出力する
ことを特徴とする記録再生装置。
【請求項７】
上記入力静止画像信号を所定のサンプリング周波数でサンプリングすることにより静止画像データを形成するサンプリング手段と、
静止画像データの奇数フイールドデータ及び偶数フイールドデータをそれぞれ格納する第１及び第２のフイールドメモリと、
上記第１及び第２のフイールドメモリに格納された上記静止画像データの副走査方向に互いに隣合う奇数フイールド画素データ及び偶数フイールド画素データを用いて直線内挿補間演算を行うことにより、上記静止画像データを上記静止画像データに対して副走査方向の画素数がＫ倍でなる記録データに変換する第１の演算手段と、
上記第１の演算手段により得られた上記記録データを記録媒体に記録する記録する記録手段と、
上記記録手段によつて記録された記録データを上記記録媒体から再生する再生手段と、
上記第１及び第２のフイールドメモリに格納された再生データの副走査方向に互いに隣合う奇数フイールド画素データ及び偶数フイールド画素データを用いて直線内挿補間演算を行うことにより、上記再生データを上記再生データに対して副走査方向の画素数がＬ倍でなる再生静止画像データに変換する第２の演算手段と
を具えることを特徴とする請求項６に記載の記録再生装置。
【請求項８】
上記Ｌの値を、１／Ｋに選定した
ことを特徴とする請求項７に記載の記録再生装置。
【請求項９】
上記Ｋの値を、上記サンプリング手段のサンプリング周波数に比例し、かつ上記第１の演算手段によつて得られる上記記録データの画素アスペクト比が１：１となるように選定した
ことを特徴とする請求項７に記載の記録再生装置。
【請求項１０】
上記サンプリング手段のサンプリング周波数を12.29875〔MHz 〕とし、上記Ｋの値を、上記入力静止画像信号がＮＴＳＣ方式の信号の場合にはほぼ「１」とし、ＰＡＬ方式の信号の場合にはほぼ「５／６」とする
ことを特徴とする請求項７に記載の記録再生装置。
【請求項１１】
外部から入力される静止画像信号を同一のサンプリング周波数でサンプリングすることにより静止画像データを形成する第１のステツプと、
上記静止画像データの副走査方向の画素数を直線内挿補間処理によつてＫ倍する第２のステツプと、
上記画素数がＫ倍された静止画像データを記録データとして記録媒体に記録する第３のステツプと
を具えることを特徴とする記録方法。
【請求項１２】
入力静止画像信号を所定のサンプリング周波数でサンプリングすることにより静止画像データを形成する第１のステツプと、
上記静止画像データの奇数フイールドデータ及び偶数フイールドデータを第１及び第２のフイールドメモリにそれぞれ格納する第２のステツプと、
上記第１及び第２のフイールドメモリに格納された上記静止画像データの副走査方向に互いに隣合う奇数フイールド画素データ及び偶数フイールド画素データを用いて直線内挿補間演算を行うことにより、上記静止画像データを上記静止画像データに対して副走査方向の画素数がＫ倍でなる記録データに変換する第３のステツプと、
上記演算手段により得られた上記記録データを記録媒体に記録する記録する第４のステツプと
を具えることを特徴とする記録方法。
【請求項１３】
入力静止画像信号の副走査方向の画素数を直線内挿補間処理によつてＫ倍することにより各画素が正方格子状に配列され、かつ所定の画像アスペクト比の記録データを形成して記録媒体に記録する第１のステツプと、
上記記録媒体から再生した再生データの副走査方向の画素数を直線内挿補間処理によつてＬ倍して出力する第２のステツプと
を具えることを特徴とする記録再生方法。
【発明の詳細な説明】
【０００１】
【目次】
以下の順序で本発明を説明する。
発明の属する技術分野
従来の技術
発明が解決しようとする課題
課題を解決するための手段
発明の実施の形態（図１〜図４）
発明の効果
【０００２】
【発明の属する技術分野】
本発明は記録装置及び記録再生装置に関し、例えばＮＴＳＣ方式やＰＡＬ方式のように異なる信号方式の静止画像をＶＧＡ（Video Graphic Array ）規格に従つた同一フオーマツトの記録データとして所定の記録媒体に記録し再生する場合に適用して好適なものである。
【０００３】
【従来の技術】
従来、静止画像をＶＧＡ規格（すなわち縦横方向に 480× 640画素を配列し、かつ各画素を正方格子状に配列する）に従つた記録フオーマツトで記録媒体に記録するものがある。このようにＶＧＡ規格に従つた静止画像データを記録しておけば、コンピユータによつて画像処理を行う場合にデータに汎用性を持たせることができ、例えば画像の回転等の画像処理を容易に行うことができる。
【０００４】
【発明が解決しようとする課題】
ところで、ＮＴＳＣ方式やＰＡＬ方式等の静止画像をＶＧＡ規格に従つて記録する場合には、それらの映像信号の走査線数が異なることにより、ＮＴＳＣ方式の静止画はほぼ全画角が保存されたデータを記録できるが、ＰＡＬ方式の場合には縦方向（副走査方向）のデータが２割程度欠落する。これはＰＡＬ方式の走査線数が 575本と多いので、ＶＧＡ規格の副走査方向の画素数 480に対応させると副走査方向の画素が規格内に収まりきらないためである。この結果、ＰＡＬ方式の静止画像をＶＧＡ規格に従つて記録し、これを再生表示すると縦方向の縁に黒枠が現れてしまう問題がある。
【０００５】
すなわちＶＧＡ規格に準拠した記録データを作るということは、換言すれば画素アスペクト比が１：１で、かつ画像アスペクト比が 3:4になるように入力画像を変換することになるため、元の静止画像信号の走査線数によつてはこのアスペクト比を満足するような画角に収めると、副走査方向の画像が一部欠落した状態となる。
【０００６】
本発明以上の点を考慮してなされたもので、走査線数の異なる入力静止画像をＶＧＡ規格に従つて記録した場合でもこれらの静止画像の全画角を保存して記録できる記録装置を提案すると共に、全画角を保存した状態で、ある走査線数の静止画像を別の走査線数の静止画像にフオーマツト変換し得る記録再生装置を提案しようとするものである。
【０００７】
【課題を解決するための手段】
かかる課題を解決するため本発明においては、外部から入力される静止画像信号を同一のサンプリング周波数でサンプリングすることにより静止画像データを形成し、当該静止画像データの副走査方向の画素数を直線内挿補間処理によつてＫ倍し、当該画素数がＫ倍された静止画像データを記録データとして記録媒体に記録する。
【０００８】
この結果、副走査方向の画素数はＫの値によつて任意に設定され、例えばＰＡＬ方式の静止画像信号のように、ＶＧＡ規格に従つて画素アスペクト比を１：１とし、かつ画像アスペクト比を 3:4とした場合に、Ｋの値を「１」より小さい所定の値に選定すれば、副走査線方向における画像の欠落が回避された記録データを得ることができる。
【０００９】
また本発明においては、入力静止画像信号の副走査方向の画素数を直線内挿補間処理によつてＫ倍することにより各画素が正方格子状に配列され、かつ所定の画像アスペクト比の記録データを形成して記録すると共に、当該記録媒体から再生した再生データの副走査方向の画素数を直線内挿補間処理によつてＬ倍して出力するようにする。
【００１０】
この結果、走査線数の異なる静止画像信号が全画角が保存された状態で同一フオーマツトで記録され、再生時には同一フオーマツトの記録データが全画角が保存された状態で所望の走査線数の静止画像とされる。
【００１１】
【発明の実施の形態】
以下図面について、本発明の一実施例を詳述する。
【００１２】
図１において、１は全体として記録再生装置を示し、入力静止画像信号Ｓ１をＶＧＡ規格に従つた記録データに変換して記録するようになされている。記録再生装置１は入力静止画像信号Ｓ１を入力端子ＩＮを介してアナログデイジタル変換（Ａ／Ｄ変換）回路２に供給する。Ａ／Ｄ変換回路２は入力静止画像信号Ｓ１を所定のサンプリング周波数でサンプリングすることにより静止画像データＳ２を得る。
【００１３】
ここでＡ／Ｄ変換回路２のサンプリング周波数は入力静止画像信号Ｓ１の信号形式が異なる場合でも同一の周波数に選定されている。静止画像データＳ２はスイツチヤ３の端子ａに与えられる。なお、スイツチヤ３はシステムコントローラ（図示せず）によつて記録時には端子ａが選択されると共に再生時には端子ｂが選択されるようになされている。
【００１４】
静止画像データＳ２は走査線変換回路４によつて走査線変換された後、バツフアメモリ５を介して記録再生部６によつて例えば光磁気デイスク等の記録媒体に記録される。ここで走査線変換回路４は直線内挿補間処理によつて入力静止画像信号Ｓ１の副走査方向の画素数をＫ倍とする（すなわち走査線数をＫ倍とする）走査線変換処理を行う。
【００１５】
走査線変換回路４は静止画像データＳ２をスイツチヤ７を介して選択的に第１及び第２のフイールドメモリ８Ａ及び８Ｂに供給する。すなわちスイツチヤ７は、到来する静止画像データＳ２が奇数フイールドデータであつた場合には端子ａが選択されこれを第１のフイールドメモリ８Ａに格納させ、到来する静止画像データＳ２が偶数フイールドデータであつた場合には端子ｂが選択されこれを第１のフイールドメモリ８Ｂに格納させる。従つて第１及び第２のフイールドメモリ８Ａ及び８Ｂには１フレーム分の静止画像が格納される。
【００１６】
ここで第１及び第２のフイールドメモリ８Ａ及び８Ｂへのデータの書込みは、メモリコントローラ９によつて制御される。すなわちメモリコントローラ９は、入力静止画像信号Ｓ１から同期信号を分離する同期分離回路１０によつて得られた同期信号Ｓ３に基づいて、フイールドの区切り位置でスイツチヤ７の端子を切り換える切換制御信号Ｓ４をスイツチヤ７に送出すると共にフイールドの区切り位置でフイールドメモリ８Ａ、８Ｂの書込み動作を切り換える書込み制御信号Ｓ５をフイールドメモリ８Ａ、８Ｂに送出する。これにより静止画像信号Ｓ１の奇数フイールドが入力されているときにはスイツチヤ７の端子ａが選択されると共に第１のフイールドメモリ８Ａが書込み状態とされ、偶数フイールドが入力されているときにはスイツチヤ７の端子ｂが選択されると共に第２のフイールドメモリ８ｂが書込み状態とされる。
【００１７】
第１及び第２のフイールドメモリ８Ａ及び８Ｂに１フレーム分の静止画像データＳ２が格納されると、メモリコントローラからの読出し制御信号Ｓ６に基づいて、第１及び第２のフイールドメモリ８Ａ及び８Ｂから走査線順にほぼ同時にデータが読み出されるようになされている。
【００１８】
そして第１のフイールドメモリ８Ａから読み出された奇数フイールドデータＯＤＤが乗算回路１１Ｂ及び１１Ｄに供給されると共に、第２のフイールドメモリ８Ｂから読み出された偶数フイールドデータＥＶＥが乗算回路１１Ａ及び１１Ｃに供給される。ここで各乗算回路１１Ａ〜１１Ｄには、変換係数発生回路１２からそれぞれに応じた乗算係数が供給される。変換係数発生回路１２はこの乗算係数を、メモリコントローラ９からのタイミング信号Ｓ７に基づいて、各乗算回路１１Ａ〜１１Ｄに読出しデータが供給されたタイミングに同期するように出力する。
【００１９】
ここで乗算回路１１Ａ、１１Ｂ及び加算回路１３Ａは再生用演算部１４を構成すると共に、乗算回路１１Ｃ、１１Ｄ及び加算回路１３Ｂは記録用演算部１５を構成する。記録時には、フイールドメモリ８Ａ、８Ｂから読み出されたフイールドデータＯＤＤ、ＥＶＥを用いて記録用演算部１５によつて直線内挿補間演算が行われ、当該演算結果がバツフアメモリ５を介して記録再生部６に供給される。このとき乗算回路１１Ｃには乗算係数として「１−Ｇ1 」が、乗算回路１１Ｄには乗算係数として「Ｇ1 」がそれぞれ変換係数発生回路１２から供給され、各乗算結果が加算回路１３Ｂによつて加算される。かくして記録用演算部１５では、乗算係数Ｇ1 を内分点情報とした直線内挿補間演算が行われ、当該内分点情報「Ｇ1 」に応じた走査線数に変換される。
【００２０】
実際上、記録用演算部１５では、フイールドメモリ８Ａ、８Ｂから読み出される、１画面上でみた場合に互いに副走査方向に隣合う画素データと、変換係数発生回路１２からの内分点情報Ｇ1 とを用いた積和演算によつて元の走査線の間の注目画素が直線内挿補間により生成される。すなわち記録用演算部１５は、奇数フイールドの画素値をＰ１、これに隣合う偶数フイールドの画素値をＰ２としたとき、注目画素の画素値Ｘを、内分点情報Ｇ1 を使つて、次式
【数１】
0003712138.tif 000002
によつて求める。これにより図２に示すように、内分点情報Ｇ1 の値に応じて静止画像データの全体の副走査方向の画素数（走査線数）を有効に低減させることができる。この内分点情報Ｇ1 の値は、例えばＰＡＬ方式の静止画像をＶＧＡ規格のデータに変換する場合には、図３に示すように選定される。すなわち走査線に応じて「1.0 」、「0.2 」、「0.6 」、「0.2 」のパターンが順次繰り返されるような内分点情報Ｋ1 を選定することにより、走査線数が元の走査線数の 5/6倍となるような変換処理が実現される。
【００２１】
この結果、それぞれ走査線数の異なる入力静止画像信号Ｓ１から、それらの画像の上端及び又は下端部分の走査線を間引くことなくすなわち全画角が保存されたＶＧＡ規格の記録データＳ８を形成することができる。このように走査線変換回路４においては、記録用演算部１５によつて直線内挿補間処理を行うことにより、演算後の副走査方向の画素数が元の画素数のＫ倍とするようになされている。この「Ｋ」の値は内分点情報Ｇ1 の値を適宜選択すれば容易に変更できる。例えばＰＡＬ方式の静止画像のように走査線数の多いものは、「Ｋ」の値が「１」より小さくなるような内分点情報Ｇ1 の値を選択するば良い。
【００２２】
実施例の場合、記録再生部６は磁界変調ヘツドによつて光磁気デイスクに記録データを記録し、光学ヘツドによつて記録データを再生する光磁気記録再生装置でなる。記録再生部６によつて再生された再生データＳ９は、バツフアメモリ１６及びスイツチヤ３を介して走査線変換回路４に供給される。走査線変換回路４は記録時と同様に、再生データＳ９の奇数フイールドを第１のフイールドメモリ８Ａに、偶数フイールドを第２のフイールドメモリ８Ｂに一旦格納し、１フレーム分の再生静止画像が格納された時点で第１及び第２のフイールドメモリ８Ａ及び８Ｂから同時にデータを読み出す。
【００２３】
この再生時には、フイールドメモリ８Ａ、８Ｂから読み出されたフイールドデータＯＤＤ、ＥＶＥに対して再生用演算部１４によつて走査線数をＬ倍とする走査線変換演算が行われ、当該演算結果でなる再生静止画像データＳ１０がデイジタルアナログ変換（Ｄ／Ａ変換）回路１７及び出力端子ＯＵＴを介して例えばテレビジヨンモニタに送出される。このとき乗算回路１１Ａには乗算係数として１−Ｇ2 が、乗算回路１１Ｂには乗算係数としてＧ2 がそれぞれ変換係数発生回路１２から供給され、各乗算結果が加算回路１３Ａにおいて加算される。かくして再生用演算部１４では、乗算係数Ｇ2 を内分点情報とした直線内挿補間演算が行われ、当該内分点情報「Ｇ2 」に応じて走査線数がＬ倍とされる。
【００２４】
すなわち再生用演算部１４は、上述した記録用演算部１５と同様に、１画面上でみた場合に副走査方向に互いに隣合う画素データと、内分点情報Ｇ2 とを用いた積和演算を行うことにより、注目画素を直線内挿補間によつて生成する。これにより再生用演算部１４では、全画角を保存した状態で走査線数がＬ倍に変換された再生静止画像データＳ１０が得られる。
【００２５】
以上の構成において、記録再生装置１にＮＴＳＣ方式又はＰＡＬ方式の静止画像信号Ｓ１が入力された場合について説明する。記録再生装置１はＮＴＳＣ方式の静止画像信号Ｓ１が入力されると、当該静止画像信号Ｓ１を画素アスペクト比が１：１でなりかつ 640× 480画素でなるＶＧＡ規格に従つたフオーマツトにするために、先ずＡ／Ｄ変換回路２のサンプリング周波数ｆP を12.292875 〔MHz 〕として静止画像信号Ｓ１をサンプリングする。
【００２６】
この結果、画素アスペクト比が１：１でかつ 646× 485画素でなる静止画像データＳ２が得られる。この静止画像データＳ２はＶＧＡ規格をほぼ満足しているため、記録再生装置１は、当該静止画像データＳ２をこのままの状態で記録し、このままの状態で再生して外部の表示装置に送出する。すなわち記録用演算部１５で用いられる内分点情報Ｇ1 の値を「１」とすると共に、再生用演算部１４で用いられる内分点情報Ｇ2 の値を「１」とする。この結果、 646× 485画素でなる再生静止画像データＳ１０が得られ、これをテレビジヨン画面上に表示すると、図４（Ａ）に示すように、ほぼ99〔％〕の画角が保存された表示画像を得ることができる。
【００２７】
これに対して記録再生装置１はＰＡＬ方式の静止画像信号Ｓ１が入力されると、先ずＡ／Ｄ変換回路２においてＮＴＳＣ方式のときと同じサンプリング周波数ｆP でサンプリングする。一般に、ＰＡＬ方式の静止画像信号からＶＧＡ規格に従つた記録データを生成しようとすると、サンプリング周波数ｆP ′を 14.743590〔MHz 〕としてサンプリングする必要がある。
【００２８】
このサンプリング周波数ｆP ′はＮＴＳＣのときのサンプリング周波数ｆP の 1.199（ 6/5倍）である。つまりこの実施例のようにＮＴＳＣと同じサンプリング周波数ｆP でＰＡＬ方式の入力静止画像信号Ｓ１をサンプリングした場合には、走査線数を 5/6倍にすれば画像アスペクト比を変えることなく、ＮＴＳＣと同等の画素数を得ることができる。
【００２９】
このため記録再生装置１は、ＰＡＬ方式の入力信号画像信号Ｓ１が入力されると、Ａ／Ｄ変換回路２においてＮＴＳＣのときと同じサンプリング周波数ｆP でサンプリングし、かつ走査線変換回路４において走査線数を 5/6倍とするような走査線変換処理を行う。実際上、この処理は記録用演算部１５の乗算回路１１Ｃ、１１Ｄに与えられる内分点情報Ｇ1 の値を図３に示すように選定することで実現される。
【００３０】
この結果走査線変換回路４からは 639× 479（≒575 ×5/6 ）画素のデータが得られ、ＶＧＡ規格と比較すると、縦、横ともに１画素ずつ削られたほぼＶＧＡ規格を満足したものとなる。かくしてＰＡＬ方式の入力画像信号Ｓ１から、全画角が保存されたＶＧＡ規格の記録データＳ８を得ることができる。
【００３１】
記録されたＰＡＬ信号の再生時には、再生用演算回路１４において走査線数が 6/5倍となるような直線内挿補間処理が行われ、走査線数が元の状態に戻される。この結果、 639× 479画素でなる再生静止画像データＳ１０が得られ、これをテレビジヨン画面上に表示すると、図４（Ｂ）に示すように（ 0.2〔％〕のオーバースキヤン）、ほぼ全画角が保存された表示画像を得ることができる。
【００３２】
またＶＧＡ規格に変換されて記録されたＰＡＬ方式の静止画像データを再生する際に、再生用演算回路１４で用いる内分点情報Ｇ2 の値を「１」に選定すれば、ＮＴＳＣ方式の静止画像データＳ１０として出力することもできる。
【００３３】
このように記録再生装置１においては、記録時に、信号形式（走査線数）の異なる入力静止画像Ｓ１を画角を保存した状態で同一の記録フオーマツト（ＶＧＡ）で記録し得ることにより、再生時に再生用演算部１４の内分点情報Ｇ2 を適宜選定すれば、例えばＮＴＳＣ方式の画像をＰＡＬ方式の画像へ、またはＰＡＬ方式の画像をＮＴＳＣ方式の画像へと容易に変換することもできる。
【００３４】
以上の構成によれば、入力静止画像信号Ｓ１の信号形式（走査線数）に応じて内分点情報Ｇ1 の値を適宜選定し、副走査方向の画素数をＫ倍とする直線内挿補間処理を行うことでＶＧＡ規格に従つた記録データを形成するようにしたことにより、入力静止画像信号Ｓ１の走査線数に拘わらず全画角が保存されたＶＧＡ規格の記録データＳ８を得ることができる。
【００３５】
また上記直線内挿補間処理を行つて記録した記録データを再生する際に、副走査方向の画素数をＬ倍とする直線内挿補間処理を行うようにしたことにより、ＶＧＡ規格に従つた再生データから種々の信号形式（走査線数）の再生静止画像を得ることができる。この結果、例えばＰＡＬ画像からＮＴＳＣ画像や、ＮＴＳＣ画像からＰＡＬ画像への変換を、全画角を保存した状態で行うことができるようになる。
【００３６】
また主走査方向のサンプリング周波数ｆP を変えずに、副走査方向の画素数のみを変えることで同一フオーマツトの記録データを形成するようにしたことにより、比較的簡易な構成で異なる走査線数の静止画像から同一フオーマツトの記録データを形成し得る。
【００３７】
なお上述の実施例においては、本発明を、磁界変調ヘツドによつて光磁気デイスクに記録データを記録し、光学ヘツドによつて記録データを再生する光磁気記録再生装置に適用した場合について述べたが、本発明はこれに限らず、例えば磁気デイスク上に磁気ヘツドによつて記録データを記録し再生する磁気デイスク記録再生装置や、フオトＣＤを作成するための記録装置及び当該フオトＣＤから記録データを再生する再生装置等、種々の記録装置及び記録再生装置に適用することができる。
【００３８】
【発明の効果】
上述のように本発明によれば、外部から入力される静止画像信号を同一のサンプリング周波数でサンプリングすることにより静止画像データを形成し、当該静止画像データの副走査方向の画素数を直線内挿補間処理によつてＫ倍し、当該画素数がＫ倍された静止画像データを記録データとして記録媒体に記録するようにしたことにより、走査線数の異なる静止画像をＶＧＡ規格に従つて記録した場合でも、これらの静止画像の全画角を保存した記録データを得ることができる記録装置を簡易な構成で実現できる。
【００３９】
また本発明によれば、上述したようにＶＧＡ規格に従つて記録した静止画像の副走査方向の画素数を直線内挿補間処理によつてＬ倍して再生出力するようにしたことにより、ＶＧＡ規格に従つて記録された静止画像から全画角を保存した状態で走査線数の異なる再生静止画像を得ることができる。かくして、全画角を保存した状態で、ある走査線数の静止画像を別の走査線数の静止画像にフオーマツト変換し得る記録再生装置を実現できる。
【図面の簡単な説明】
【図１】本発明の一実施例による記録再生装置を示すブロツク図である。
【図２】走査変換回路による走査線変換処理の説明に供する略線図である。
【図３】ＰＡＬ方式の走査線数をＶＧＡ規格に従つた走査線数に走査線数変換する際の、内分点情報Ｇ1 の数値例を示す略線図である。
【図４】実施例による記録再生装置によつて記録再生された再生静止画像の表示状態を示す略線図である。
【符号の説明】
１……記録再生装置、２……アナログデイジタル変換回路、４……走査線変換回路、８Ａ、８Ｂ……フイールドメモリ、１４……再生用演算部、１５……記録用演算部、Ｓ１……入力静止画像信号、Ｓ２……静止画像データ、Ｓ３……同期信号、Ｓ８……記録データ、Ｓ９……再生データ、Ｓ１０……再生静止画像データ、Ｇ1 、Ｇ2 ……内分点情報。
【図１】
0003712138.tif 000003
【図２】
0003712138.tif 000004
【図３】
0003712138.tif 000005
【図４】
0003712138.tif 000006